(57)【要約】【課題】その日の体調や気分に応じて、使用者自身が好みの映像、字幕、音楽、音声のうち、少なくとも２つを選択することができるため、飽きることなくマッサージを習慣的に受けることができるマッサージ機を提供することを目的とする。【解決手段】複数の映像及び／又は複数の字幕を表示する表示手段と、複数の音楽及び／又は複数の音声を出力する出力手段と、のうち少なくとも１つの手段と、前記複数の映像と、前記複数の字幕と、前記複数の音楽と、前記複数の音声のうち、少なくとも２つを記憶する記憶部と、を有し、前記複数の映像のうち１つの映像と、前記複数の字幕のうち１つの字幕と、前記複数の音楽のうち１つの音楽と、前記複数の音声のうち１つの音声と、の中から少なくとも２つを選択するための選択部を有する。【選択図】      図１１
2017209384.tif 000002
【特許請求の範囲】
【請求項１】
複数の映像及び／又は複数の字幕を表示する表示手段と、
複数の音楽及び／又は複数の音声を出力する出力手段と、のうち少なくとも１つの手段と、
前記複数の映像と、前記複数の字幕と、前記複数の音楽と、前記複数の音声のうち、少なくとも２つを記憶する記憶部と、を有し、
前記複数の映像のうち１つの映像と、前記複数の字幕のうち１つの字幕と、前記複数の音楽のうち１つの音楽と、前記複数の音声のうち１つの音声と、の中から少なくとも２つを選択するための選択部を有することを特徴とするマッサージ機。
【請求項２】
前記複数の映像のうち１つの映像は、前記複数の音楽のうち１つの音楽及び／又は前記複数の音声のうち１つの音声と、対応付けられており、
前記複数の音声のうちの１つの音声は、更に前記複数の字幕のうち１つの字幕と対応付けられていることを特徴とする請求項１に記載のマッサージ機。
【請求項３】
前記複数の映像のうち１つの映像は、前記複数の音楽及び／又は前記複数の音声及び／又は前記複数の字幕と対応付けられていることを特徴とする請求項１に記載のマッサージ機。
【請求項４】
被施療者を施療する施療部と、
前記施療部の施療態様を制御する制御部と、を有し、
前記選択部で選択した結果に応じて、前記制御部は所定の施療コースの施療態様を変更することを特徴とする請求項１〜３のいずれかに記載のマッサージ機。
【請求項５】
前記複数の映像、前記複数の字幕、前記複数の音楽、前記複数の音声は、更新又は追加又は削除可能となっていることを特徴とする請求項１〜４のいずれかに記載のマッサージ機。
【請求項６】
複数の映像及び／又は複数の字幕を表示する表示手段と、
複数の音楽及び／又は複数の音声を出力する出力手段と、のうち少なくとも１つの手段と、
前記複数の映像と、前記複数の字幕と、前記複数の音楽と、前記複数の音声のうち、少なくとも２つを記憶する記憶部と、を有し、
前記複数の映像のうち１つの映像と、前記複数の字幕のうち１つの字幕と、前記複数の音楽のうち１つの音楽と、前記複数の音声のうち１つの音声と、の中から少なくとも１つを選択するための選択部を有し、
前記選択部の選択によって、映像、字幕、音楽、音声のうち少なくとも２つが自動的に決定されることを特徴とするマッサージ機。
【請求項７】
時計部を有し、
前記選択部で選択できる前記複数の映像と、前記複数の字幕と、前記複数の音楽と、前記複数の音声は、時間帯によって異なることを特徴とする請求項２〜６のいずれかに記載のマッサージ機。
【発明の詳細な説明】
【技術分野】
【０００１】
本発明はマッサージ機に関する。より詳しくは、使用者自身が、その日の体調や気分に応じて、複数の映像、複数の字幕、複数の音楽、複数の音声のうち、少なくとも２つを選択でき、使用者が飽きずにマッサージを受ける習慣を身に付けることができるマッサージ機に関する。
【背景技術】
【０００２】
従来、使用者の肉体的疲労を回復させる第１の動作及び肉体的に覚醒させる第２の動作が設定可能なマッサージ機と使用者の生体状態を検知する検知手段と映像再生手段と音響再生手段と記録された映像信号及び音声信号をランダムアクセスにより再生できる記録媒体と記録媒体駆動手段と検知手段の検知信号により使用者の状態を判断把握し、記録媒体駆動手段を制御する第１の制御手段、第１の動作又は第２の動作を制御する第２の制御手段、ナレーションの音声信号を音響再生手段にて再生させる第３の制御手段から少なくとも構成される制御部と、少なくとも瞬目や目の開閉を検知する検知手段、検知手段の信号を処理する信号処理手段を備えた映像再生手段を有する映像表示部で構成された頭部搭載型のディスプレイ装置とからなるチェアシステムが知られている（例えば、特許文献１参照）。
【先行技術文献】
【特許文献】
【０００３】
【特許文献１】特許第３３６３３１３号公報
【発明の概要】
【発明が解決しようとする課題】
【０００４】
上記特許文献１のマッサージ機にあっては、使用者の生体状態検知手段と頭部搭載型のディスプレイ装置が必要となるためコストがアップするという問題がある。また、使用時には頭部搭載型のディスプレイ装置を装着する必要があるため使用者の負担となるという問題がある。また、生体状態検知手段によって、使用者の生体状態を判断把握するため、使用者自身がその日の体調や気分に応じた好みの映像、字幕、音楽、音声を選択することができないという問題がある。以下、その理由を説明する。
マッサージ機の他に生体状態検知手段と頭部搭載型のディスプレイ装置を別途設ける必要があるため、その分のコストがアップする。また、頭部搭載型のディスプレイ装置を装着しないと、使用者はディスプレイ装置に表示される映像や字幕を見ることができず、ディスプレイ装置から出力される音楽や音声も聴くことができない。そのため、使用者は使用する度に頭部搭載型のディスプレイ装置を装着する必要があり、その煩わしさや手間などから使用者に飽きられてしまい、マッサージを受ける習慣を身に付けさせることができなくなってしまう。
また、検知した使用者の生体状態に応じて、予め内蔵された映像とそれに対応する１つの音楽、マッサージ動作が決まるように構成されているため、使用者のその日の体調や気分に応じた見たい映像、聴きたい音楽を選択することができない。その結果、使用者に飽きられてしまい、マッサージを受ける習慣を使用者に身に付けさせることができなくなってしまう。
【０００５】
そこで本発明は、上述した問題のうち少なくとも１つを解消するためになされたものであり、使用者自身が、その日の体調や気分に応じて、複数の映像、複数の字幕、複数の音楽、複数の音声のうち、少なくとも２つを選択でき、使用者が飽きずにマッサージを受ける習慣を身に付けることができるマッサージ機を提供することを目的とする。
【課題を解決するための手段】
【０００６】
本発明は、複数の映像及び／又は複数の字幕を表示する表示手段と、複数の音楽及び／又は複数の音声を出力する出力手段と、のうち少なくとも１つの手段と、前記複数の映像と、前記複数の字幕と、前記複数の音楽と、前記複数の音声のうち、少なくとも２つを記憶する記憶部と、を有し、前記複数の映像のうち１つの映像と、前記複数の字幕のうち１つの字幕と、前記複数の音楽のうち１つの音楽と、前記複数の音声のうち１つの音声と、の中から少なくとも２つを選択するための選択部を有することを特徴とする。
このような構成とすることにより、使用者自身が、その日の体調や気分に応じて、複数の映像、複数の字幕、複数の音楽、複数の音声のうち、少なくとも２つを選択でき、使用者が飽きずにマッサージを受ける習慣を身に付けることができる。
【０００７】
また、前記複数の映像のうち１つの映像は、前記複数の音楽のうち１つの音楽及び／又は前記複数の音声のうち１つの音声と、対応付けられており、前記複数の音声のうちの１つの音声は、更に前記複数の字幕のうち１つの字幕と対応付けられていることが好ましい。
このような構成とすることにより、映像と音楽、映像と音声と字幕とのそれぞれの間に関連性が生まれ、よりリラックスした状態でマッサージを受けることができる。
【０００８】
また、前記複数の映像のうち１つの映像は、前記複数の音楽及び／又は前記複数の音声及び／又は前記複数の字幕と対応付けられていることが好ましい。
このような構成とすることにより、１つの映像に対応付けられた複数の音楽及び／又は複数の音声との間に関連性が生まれ、よりリラックスした状態でマッサージを受けることができる。
【０００９】
また、被施療者を施療する施療部と、前記施療部の施療態様を制御する制御部と、を有し、前記選択部で選択した結果に応じて、前記制御部は所定の施療コースの施療態様を変更することが好ましい。
このような構成とすることにより、選択した内容に応じた施療コースを受けることができるため、映像、字幕、音楽、音声と施療コースとの間に関連性が生まれ、よりリラックスした状態でマッサージを受けることができる。
【００１０】
また、前記複数の映像、前記複数の字幕、前記複数の音楽、前記複数の音声は、更新又は追加又は削除可能となっていることが好ましい。
このような構成とすることにより、使用者自身が飽きることなくマッサージを習慣的に受けることができる。
【００１１】
本発明は、複数の映像及び／又は複数の字幕を表示する表示手段と、複数の音楽及び／又は複数の音声を出力する出力手段と、のうち少なくとも１つの手段と、前記複数の映像と、前記複数の字幕と、前記複数の音楽と、前記複数の音声のうち、少なくとも２つを記憶する記憶部と、を有し、前記複数の映像のうち１つの映像と、前記複数の字幕のうち１つの字幕と、前記複数の音楽のうち１つの音楽と、前記複数の音声のうち１つの音声と、の中から少なくとも１つを選択するための選択部を有し、前記選択部の選択によって、映像、字幕、音楽、音声のうち少なくとも２つが自動的に決定されることを特徴とする。
このような構成とすることにより、使用者自身が、映像、字幕、音楽、音声の全てを選択する手間を省くことができる。
【００１２】
また、時計部を有し、前記選択部で選択できる前記複数の映像と、前記複数の字幕と、前記複数の音楽と、前記複数の音声は、時間帯によって異なることが好ましい。
このような構成とすることにより、マッサージを受ける時間帯によって、その時間帯にあった最適な映像、字幕、音楽、音声を選択することができるため、より効果的にマッサージを受けることができる。
【発明の効果】
【００１３】
本発明によれば、その日の体調や気分に応じて、使用者自身が好みの映像、字幕、音楽、音声のうち、少なくとも２つを選択することができるため、飽きることなくマッサージを習慣的に受けることができる。
【図面の簡単な説明】
【００１４】
【図１】本発明の一実施形態に係る起立姿勢のマッサージ機の斜視図である。
【図２】起立姿勢のマッサージ機の右側面図である。
【図３】リクライニング姿勢のマッサージ機の右側面図である。
【図４】椅子本体の斜視図である。
【図５】図４に示す椅子本体の背面図である。
【図６】椅子本体の斜視図である。
【図７】図６に示す椅子本体の底面図である。
【図８】右側の第１フレームの斜視図である。
【図９】右側のガイドレールの斜視図である。
【図１０】マッサージユニットの斜視図である。
【図１１】マッサージ機のブロック図である。
【図１２】記憶部に記憶されている映像、音楽、音声、字幕の対応関係を示す図である。
【図１３】選択部によって、映像、音楽、音声の順に選択した状態を示す図である。
【図１４】選択した結果に応じて所定の施療コースの施療態様が変更することを示す図である。
【図１５】記憶部に記憶された映像、音楽、音声、字幕の更新、追加、削除をした状態を示す図である。
【図１６】時間帯によって選択できる映像、音楽、音声、字幕が異なることを示す図である。
【発明を実施するための形態】
【００１５】
［マッサージ機の全体構成］
以下、本発明のマッサージ機１の全体構成について説明する。
なお、以下の説明で用いる方向の概念は、図１及び図２に示す起立姿勢のマッサージ機１に着座した使用者から見たときの方向の概念と一致するものとする。また、以下の説明で用いる方向の概念のうち、「表側」とは、マッサージ機１に着座した使用者の身体の表側（例えば、顔、胸、腹又はすね側）を向く方向をいい、「裏側」とは、同使用者の身体の裏側（例えば、後頭部、背中、腰又はふくらはぎ側）を向く方向をいう。
【００１６】
図１は本発明の一実施形態に係る起立姿勢のマッサージ機１の斜視図である。図２は起立姿勢のマッサージ機１の右側面図である。図３はリクライニング姿勢のマッサージ機１の右側面図である。図４は椅子本体２の斜視図である。図５は図４に示す椅子本体２の背面図である。図６は椅子本体２の斜視図である。図７は図６に示す椅子本体２の底面図である。図８は右側の第１フレーム１０の斜視図である。図９は右側のガイドレール２６の斜視図である。図１０はマッサージユニット８の斜視図である。図１１はマッサージ機１のブロック図である。図１２は記憶部に記憶されている映像、音楽、音声、字幕の対応関係を示す図である。図１３は選択した結果に応じて施療態様が変更することを示す図である。図１４は映像、音楽、音声、字幕の更新、追加、削除をした状態を示す図である。図１５は時間帯によって選択できる映像、音楽、音声、字幕が異なることを示す図である。なお、図６及び図７では、身体載置部２１及びバックカバー４０を省略して図示している。
【００１７】
図１〜図３に示すとおり、本発明のマッサージ機１は、主として、使用者が着座する座部３と、座部３の後部に設けられた使用者が凭れる背凭れ部４と、座部３の前部に設けられた使用者の下肢を支持するフットレスト５と、を備えた椅子本体２と、椅子本体２を床面から所定の高さで支持する脚フレーム６と、椅子本体２の各種動作を制御する制御部７と、を有している。椅子本体２は、使用者の身体を支持する身体支持部として機能する。本実施形態では、座部３、背凭れ部４及びフットレスト５は一体的に構成されているが、座部３と背凭れ部４は別体として分離していてもよいし、座部３とフットレスト５は別体として分離していてもよい。椅子本体２には、揉みマッサージ及び／又は叩きマッサージを行うマッサージユニット８が設けられている。なお、座部３の左右両側には、使用者の腕部を載置する肘掛け部（図示せず）が設けられていてもよい。
【００１８】
椅子本体２は、左右方向を軸方向とする枢軸Ａ１を介して脚フレーム６に連結されている。また、椅子本体２と脚フレーム６の間には、椅子本体２を前後方向にリクライニングさせるアクチュエータ９が設けられている。このアクチュエータ９は、伸縮動作する直動式のアクチュエータにより構成されている。アクチュエータ９が伸縮動作することにより、椅子本体２は図２に示す起立姿勢から図３に示すリクライニング姿勢までの間の任意の位置で停止できるようになっている。座部３及び背凭れ部４は相対位置が定まっており、背凭れ部４の身体載置面４ａは、起立姿勢からリクライニング姿勢へと変化する過程で、より上向きとなるように変化する。座部３及びフットレスト５は相対位置が定まっており、フットレスト５の身体載置面５ａは、起立姿勢からリクライニング姿勢へと変化する過程で、より上向きとなるように変化する。アクチュエータ９の駆動は制御部７により制御される。
【００１９】
［椅子本体の構成］
図４〜図８に示すとおり、椅子本体２（身体支持部）は、主として、左右で対をなして左右方向に板面を有する板状の金属よりなる第１フレーム１０と、第１フレーム１０に固着され左右方向に所定の厚みを有する樹脂よるなる第２フレーム２０と、左右の第１フレーム１０を連結する第３フレーム３０と、マッサージユニット８を裏側から覆うバックカバー４０と、マッサージユニット８を表側から覆う伸縮性を有する生地等よりなるフロントカバー（図示せず）と、を有している。本実施形態では、バックカバー４０は、樹脂を用いたインジェクション成形により構成されているが、樹脂を用いた真空成型により構成してもよいし、第１フレーム１０と同様に板状の金属により構成してもよい。
【００２０】
［第１フレームの構成］
図８に示すとおり、第１フレーム１０は、背凭れ部４に対応する位置に設けられた上部第１フレーム１０ａと、座部３及びフットレスト５に対応する位置に設けられた下部第１フレーム１０ｂと、に分離している。上部第１フレーム１０ａは、側面視において腰部に対応する位置で前方へ若干隆起した形状である。下部第２フレーム１０ｂは、側面視において膝部に対応する位置で下方に屈曲した形状である。すなわち、第１フレーム１０の表側は、椅子本体２に着座する使用者の身体の裏側に沿った形状となっている。
【００２１】
第１フレーム１０は、左右方向に板面を有する側部１１と、側部１１の表裏方向における両端部から左右方向へ延設された延設部１２と、を有している。側部１１には、側面視で略三角形の凸部又は凹部よりなるリブ１３が形成されており、第１フレーム１０の強度確保に寄与している。延設部１２は、表側から左右外側へ延設された第１延設部１２ａと、裏側から左右内側へ延設された第２延設部１２ｂと、を有している。この延設部１２は、第１フレーム１０の左右方向の強度確保に寄与している。すなわち、第１フレーム１０が左右方向へ変形することを防止できる。延設部１２及びリブ１３は、単一の金属板をプレス加工することにより、まとめて形成することができる。従って、延設部１２は、側部１１の身長方向における全長に亘って形成されている。
【００２２】
上述したとおり、第１フレーム１０は左右方向に板面を有する板状の金属により構成されているため、プレス加工によって容易に曲げることができ、リブ１３も容易に形成することができる。従って、椅子本体２を安価に製造できる。また、第１フレーム１０の周囲に外装を構成する部材（例えば、樹脂等よりなる外装パネル）を別途必要とせず、部品点数を削減できる。また、使用者の重量が大きく作用する左右方向と直交する方向（表裏方向）の強度を確保できる。
【００２３】
［第２フレーム（身体載置部）の構成］
図４〜図９に示すとおり、第２フレーム２０は、使用者の身体が載置される身体載置部２１と、マッサージユニット８の身長方向に沿った移動をガイドするガイドレール２６と、を有している。本実施形態では、身体載置部２１及びガイドレール２６は、樹脂により構成されているが、少なくともいずれか一方が樹脂により構成されていればよい。樹脂には、ポリプロピレン（ＰＰ）、アクリロニトリルブタジエンスチレン（ＡＢＳ）又はチップウレタン等様々な樹脂材料が含まれる。
【００２４】
身体載置部２１は、身長方向に延設された左右で対をなす第１部分２２と、左右方向に延設された第２部分２３ａ〜２３ｃと、を有している。図５及び図６に示すとおり、第１部分２２は、左右の第１フレーム１０における第１延設部１２ａに固着されている。具体的には、第１部分２２は、第１延設部１２ａの表側に載置された状態で裏側からネジ止めされている。図４に示すとおり、第１部分２２は、第１フレーム１０と同様に、背凭れ部４に対応する位置に設けられた上部第１部分２２ａと、座部３及びフットレスト５に対応する位置に設けられた下部第１部分２２ｂと、に分離している。上部第１部分２２ａは、側面視において腰部に対応する位置で前方へ若干隆起した形状である。下部第１部分２２ｂは、側面視において膝部に対応する位置で下方に屈曲した形状である。すなわち、第１部分２２の表側は、椅子本体２に着座する使用者の裏側に沿った形状である。
【００２５】
第１部分２２は、左右内側が第１延設部１２ａに固着されており、第１延設部１２ａの左右寸法よりも長寸である。すなわち、身体載置部２１は、左右方向に所定の厚みを有している。第１延設部１２ａは、側部１１の表側から左右外側へ延設されているため、左右で対をなす第１部分２２を離反して配置することができる。従って、身体載置部２１の左右寸法を大きくしなくても、身体載置部２１により身体（特に身体の側部）を安定して支持することができる。また、第２フレーム２０は左右方向に所定の厚みを有する樹脂により構成されているため、椅子本体２の左右方向の強度を確保することができる。換言すると、板状の金属よりなる第１フレーム１０が左右方向へ変形することを防止できる。
【００２６】
図４〜図６に示すとおり、第２部分２３ａ〜２３ｃは、左右の第１フレーム１０における第１延設部１２ａに固着されている。具体的には、第２部分２３ａ〜２３ｃは、第１延設部１２ａの表側に載置された状態で裏側からネジ止めされている。第２部分２３ａ〜２３ｃは、頭部側と脚先側に設けられている。頭部側の第２部分２３ａ，２３ｂは、背凭れ部４の上面を構成する第２部分２３ａと、背凭れ部４の前面を構成する第２部分２３ｂと、を有している。第２部分２３ａは、第１部分２２と一体的に構成されている。第２部分２３ｂは、第１部分２２とは別体の部材であり、その外側面が第１部分２２の内側面に当接して設けられている。第２部分２３ｂは、身体（特に頭部）を支持することができる。脚先側の第２部分２３ｃは、第１部分２２と一体的に構成されている。第２部分２３ｃは、身体（特に下肢）を支持することができる。また、第２部分２３ｃは、左右の下肢を振り分けて支持できるように、身長方向に直交する断面が凹状である凹部２４が左右で対をなして形成されている。
【００２７】
左右方向に延設された第２部分２３ａ，２３ｃが第１部分２２と一体的に構成されていること、及び／又は左右方向に延設された第２部分２３ｂが第１部分２２の内側面に当接して設けられていることにより、左右方向に離反して配置された対の第１フレーム１０が、使用者の重量によって左右内側又は外側へ傾くことを防止できる。すなわち、椅子本体２の左右方向の強度を確保することができる。また、身体載置部２１は、身長方向に延設された左右で対をなす第１部分２２と、左右方向に延設された頭部側及び脚先側の第２部分２３ａ〜２３ｃと、により、表裏方向に開口する開口２５が形成されている。そして、身体載置部２１に載置された身体の裏側に対して、開口２５を通じてマッサージユニット８によりマッサージを行うことができる。
【００２８】
［第２フレーム（ガイドレール）の構成］
図６及び図９に示すとおり、ガイドレール２６は、身長方向に沿って延設されており、左右の第１フレーム１０における側部１１に固着されている。具体的には、ガイドレール２６は、側部１１の内側面に当接した状態で左右外側からネジ止めされている。ガイドレール２６は、背凭れ部４、座部３及びフットレスト５それぞれに対応する位置に設けられており、座部３及び背凭れ部４の境界近傍と、座部３及びフットレスト５の境界近傍と、には、湾曲部２６ａを有している。従って、マッサージユニット８は、背凭れ部４から座部３を経由してフットレスト５までの間をガイドレール２６に沿って移動可能である。
【００２９】
ガイドレール２６は、身長方向に直交する断面が、左右内側に開口する略コの字型に形成されている。具体的には、ガイドレール２６は、側部１１に当接する第１壁部２６ｂと、第１壁部２６ｂの一端部から左右内側へ立設された第２壁部２６ｃと、第１壁部２６ｂの他端部から左右内側へ立設された第３壁部２６ｄと、を有している。すなわち、ガイドレール２６は、左右方向に所定の厚みを有している。図９及び図１０に示すとおり、第１壁部２６ｂには、マッサージユニット８が有するガイドピン８４が嵌合する左右内側に開口するガイド溝２３ｅが設けられている。第３壁部２６ｄの表側には、マッサージユニット８が有するピニオン８３が係合するラック２６ｆが設けられている。マッサージユニット８は、ピニオン８３が回転するとガイドピン８４及びガイド溝２６ｅによりガイドされながら身長方向に沿って移動することができる。
【００３０】
上述したとおり、第２フレーム２０は左右方向に所定の厚みを有する樹脂により構成されているため、椅子本体２の左右方向の強度を確保することができる。また、板状の金属よりなる第１フレーム１０と樹脂よりなる第２フレーム２０を組み合わせて椅子本体２を構成しているため、金属のパイプ材を組み合わせた従来の椅子本体（のフレーム）に比べて軽量化することができる。また、第２フレーム２０を第１フレーム１０にネジ止めしているため、溶接作業を削減できる。
【００３１】
［第３フレームの構成］
図６及び図７に示すとおり、椅子本体２は、左側の第１フレーム１０から右側の第１フレーム１０に亘って架設された第３フレーム３０を有している。第３フレーム３０は、第１フレーム１０と同様に板状の金属より構成されており、左右の第１フレーム１０同士を連結している。第３フレーム３０は、身長方向に複数設けられており、具体的には、背凭れ部４に対応する位置に２つ、座部３に対応する位置に１つ、フットレスト５に対応する位置に１つ、座部３と背凭れ部４の境界近傍に１つ設けられている。背凭れ部４、座部３及びフットレスト５に対応する位置の第３フレーム３０ａは、第１フレーム１０の第２延設部１２ｂに裏側からネジ止めにより固着されている。座部３と背凭れ部４の境界に対応する位置の第３フレーム３０ｂは、第１フレーム１０の側部１１及び第１延設部１２ａに左右外側及び上側からネジ止めにより固着されており、上部第１フレーム１０ａと下部第１フレーム１０ｂを連結している。この第３フレーム３０ｂの左右外側には、椅子本体２と脚フレーム６を連結する枢軸Ａ１が設けられている。また、第３フレーム３０ｂの裏側であって左右略中央には、アクチュエータ９を連結するブラケット３１が設けられている。
【００３２】
左側の第１フレーム１０から右側の第１フレーム１０に亘って架設された第３フレーム３０により、左右方向に離反して配置された対の第１フレーム１０が、使用者の重量によって左右内側又は外側へ傾くことを防止できる。すなわち、椅子本体２の左右方向の強度を確保することができる。バックカバー４０は、第１フレーム１０及び第３フレーム３０に固着されている。具体的には、第１フレーム１０の第２延設部１２ｂに裏側からネジ止めされるとともに、第３フレーム３０に裏側からネジ止めされている。バックカバー４０により、マッサージユニット８を裏側から覆うことができる。
【００３３】
［マッサージユニットの構成］
図１０及び図１１に示すとおり、マッサージユニット８は、ベースフレーム８１と、ベースフレーム８１に支持されたフレーム８２と、を有している。ベースフレーム８１は、その左右両側において身長方向に複数設けられたピニオン８３と、ピニオン８３の左右外側から延設されたピニオン８３の回転中心と同軸であるガイドピン８４と、を有している。ピニオン８４はガイドレール２６のラック２６ｆに係合し、ガイドピン８４はガイドレール２６のガイド溝２６ｅに嵌合している。昇降モータＭ１の駆動でピニオン８３が回転することにより、マッサージユニット８はガイドレール２６に沿って身長方向に移動することができる。以下では、マッサージユニット８の身長方向への移動を「昇降」と呼ぶ。フレーム８２は、ベースフレーム８１に対して表裏方向に進退可能に支持されている。ベースフレーム８１とフレーム８２の間に、エアセル等よりなる進退駆動部８８が設けられており、進退駆動部８８の駆動によりフレーム８２は表裏方向に進退可能である。
【００３４】
マッサージユニット８は、左右方向を軸方向とする駆動軸（図示せず）に連結された左右で対をなすアーム８５を有している。アーム８５は、表側に向かって突設されている。左右それぞれのアーム８５の先端には、使用者の身体に作用する施療子８６Ｌ，８６Ｒが設けられている。施療子８６Ｌ，８６Ｒは、アーム８５を挟んで左右内側に位置する内側施療子８６ａと、左右外側に位置する外側施療子８６ｂと、を有している。揉みモータＭ２の駆動で前記駆動軸が回転することにより、左右の施療子８６Ｌ，８６Ｒが近接離反する揉みマッサージを行わせることができる。また、叩きモータＭ３の駆動で前記駆動軸が回転することにより、左右の施療子８６Ｌ，８６Ｒが交互に使用者側へ進退する叩きマッサージを行わせることができる。なお、揉みモータＭ２と叩きモータＭ３を別個に設けずとも、単一のモータの回転方向を切り換えることで、揉みマッサージと叩きマッサージを切り換えてもよい。各モータＭ１〜Ｍ３、進退駆動部８８及びアクチュエータ９は、制御部７に電気的に接続されており、制御部７により各部材の動作が制御される。
【００３５】
［制御部の構成］
図１１に示す通り、制御部７は、マッサージユニット８を構成する各モータＭ１〜Ｍ３及び進退駆動部８８と記憶部９０と使用者へ施療を行う前記マッサージユニット８やエアセル、バイブレーション等で構成された施療部９１とアクチュエータ９と選択部９２と時計部９３と通信部９４と表示手段９５と出力手段９６とのそれぞれに対して電気的に接続されている。そして、前記記憶部９０には、複数の映像と複数の字幕と複数の音楽と複数の音声とが記憶されており、前記複数の映像と前記複数の字幕は前記表示手段９５を介して表示され、前記複数の音楽と前記複数の音声は前記出力手段９６を介して出力されるように構成されている。
【００３６】
前記複数の映像とは、例えば、使用者にリラックスを与えるような「外国の街並み」や「森の中」、「海岸」などの自然の風景の映像である。また、前記複数の音楽とは、例えば、「川のせせらぎ」や「小鳥のさえずり」などの自然の音や携帯型音楽プレーヤーに内蔵され、前記通信部９４を介して再生可能な使用者の好みの音楽である。また、前記複数の音声とは、男性（壮年、若年など）、女性（壮年、若年など）による前記複数の映像に対応した解説や語りなどのナレーションである。また、前記複数の字幕とは、前記複数の音声を文字として映し出したものである。
【００３７】
前記選択部９２によって、前記記憶部９０に記憶されている前記複数の映像、前記複数の字幕、前記複数の音楽、前記複数の音声の中から少なくとも２つを選択することで、使用者自身が、施療動作に関係なく、その日の体調や気分に応じた映像、字幕、音楽、音声を再生することができる。
【００３８】
なお、前記選択部９２によって、前記複数の音楽と前記複数の音声とを選択した場合、音楽と音声のそれぞれを出力するタイミングが被ってしまうと、お互いに干渉し合い、使用者に不快感を与えてしまう。そのようなことがないように、前記制御部７は、音楽と音声が選択された場合、それぞれを出力するタイミングを合わせる制御を行うことで干渉を防ぎ、使用者に不快感を与える恐れをなくすことができる。
【００３９】
図１２は、記憶部９０に記憶されている映像、音楽、音声、字幕の対応関係を示す図である。
図１２に示す通り、前記複数の映像のうち１つの映像（映像１）と、前記複数の音楽のうち１つの音楽（音楽１）とを対応付けることで映像と音楽との間に関連性が生まれ、よりリラックスした状態でマッサージを受けることができるようになる。その結果、使用者に対してマッサージを受ける習慣を身に付けさせるための相乗効果が期待できる。
例えば、映像は「森の中」を選択し、音楽は「小鳥のさえずり」を選択した場合、使用者は森林浴の気分を味わいながらマッサージ機を使用することができるため、よりリラックスした状態でマッサージを受けることができる。
【００４０】
また、前記複数の音楽のうち１つの音楽（音楽１）の代わりに又は加えて前記複数の音声のうち１つの音声（音声１）と対応付けてもよい。
例えば、映像は「海岸」を選択し、音声は「女性」を選択した場合、使用者は海岸の映像を女性の声のナレーション付きで見ることができるため、まるで海岸にいるような気分を味わうことができる。そのような状態でマッサージ機を使用することにより、よりリラックスした状態でマッサージを受けることができる。
【００４１】
また、前記複数の映像のうち１つの映像（映像１）に対して、前記複数の音楽のうち１つの音楽（音楽１）と、前記複数の音声のうち１つの音声（音声１）とを対応付けることで映像と音楽と音声の間に関連性が生まれ、よりリラックスした状態でマッサージを受けることができるようになる。その結果、使用者に対してマッサージを受ける習慣を身に付けさせるための相乗効果が期待できる。
例えば、映像は「森の中」を選択し、音楽は「小鳥のさえずり」を選択し、音声は「女性」を選択した場合、使用者は森の中の映像を小鳥のさえずりと女性の声のナレーション付きで見ることができるため、まるで森の中にいるような気分を味わうことができる。そのような状態でマッサージ機を使用することにより、よりリラックスした状態でマッサージを受けることができる。
【００４２】
また、更に前記複数の音声のうち１つの音声（音声１）に、前記複数の字幕のうち１つの字幕（字幕１）を対応付けることで映像と音楽、映像と音声だけではなく、映像と字幕の間にも関連性が生まれることになる。映像と字幕とにより、使用者はあたかもその場にいるような気分を味わうことができるため、よりリラックスした状態でマッサージを受けることができるようになる。その結果、使用者に対してマッサージを受ける習慣を身に付けさせるための相乗効果が期待できる。
例えば、映像は「森の中」を選択し、字幕は「森の中」を選択した場合、使用者は森の中の映像を字幕付きで見ることができるため、まるで森の中にいるような気分を味わうことができる。そのような状態でマッサージ機を使用することにより、よりリラックスした状態でマッサージを受けることができる。
【００４３】
なお、前記複数の映像のうち１つの映像（映像１）と対応付ける音楽は複数あってもよく、前記複数の映像のうち１つの映像（映像１）と対応付ける音声は複数あってもよい。また、前記複数の音声のうち１つの音声は複数あってもよく、前記複数の音声のうち１つの音声と対応付ける字幕は複数あってもよい。
【００４４】
図１３は、選択部によって、映像、音楽、音声の順に選択した状態を示す図である。
図１３に示す通り、前記選択部９２によって、複数の映像のうち１つの映像（例えば、「イタリアの町並み」）を選択すると、「イタリアの町並み」に対応付けられた複数の音楽（例えば、「森を流れる川」、「Ｗｉｎｄ  Ｖｅｉｌ」、「悠久の絆」、「Ｍｏｍｅｎｔ」）が前記表示手段９５によって表示され、使用者はその中から、好きな音楽を選択する（例えば、「悠久の絆」）。選択した映像と音楽に対応したナレーションの声を選択する（例えば、「男性」）ことで、使用者は、「イタリア町並み」の映像を「悠久の絆」の音楽と「男性」のナレーション付きで視聴することができるため、まるで「イタリアの町中にいるような気分を味わいながらマッサージを受けることができる。
なお、音声の内容は、選択された映像に対応する内容が自動的に決定されることが好ましい。
【００４５】
図１４は、選択した結果に応じて所定の施療コースの施療態様が変更することを示す図である。
図１４に示す通り、前記複数の映像のうち１つの映像（映像１）を選択し、前記複数の字幕のうち１つの字幕（字幕１）を選択し、前記複数の音楽のうち１つの音楽（音楽２）を選択し、前記複数の音声のうち１つの音声（音声２）を選択した場合、所定の施療コースの施療態様は、「揉み→叩き→ローリング」となる。
また、前記複数の映像のうち１つの映像（映像１）を選択し、前記複数の字幕のうち１つの字幕（字幕１）を選択し、前記複数の音楽のうち１つの音楽（音楽３）を選択し、前記複数の音声のうち１つの音声（音声２）を選択した場合、所定の施療コースの施療態様は、「揉み→ローリング→叩き」となる。
このように選択する映像が同じ（映像１）であっても、選択する音楽（音楽２、３）が異なるだけで所定の施療コースの施療態様が変更されることとなる。
【００４６】
また、前記複数の映像のうち１つの映像（映像２）を選択し、前記複数の字幕のうち１つの字幕（字幕２）を選択し、前記複数の音楽のうち１つの音楽（音楽１）を選択し、前記複数の音声のうち１つの音声（音声１）を選択した場合、所定の施療コースの施療態様は、「叩き→揉み→擦り」となる。
また、前記複数の映像のうち１つの映像（映像３）を選択し、前記複数の字幕のうち１つの字幕（字幕２）を選択し、前記複数の音楽のうち１つの音楽（音楽１）を選択し、前記複数の音声のうち１つの音声（音声１）を選択した場合、所定の施療コースの施療態様は、「擦り→揉み→叩き」となる。
このように選択する音楽（音楽１）が同じものであっても、選択する映像（映像２、３）が異なるだけで所定の施療コースの施療態様が変更されることとなる。
【００４７】
また、前記複数の映像のうち１つの映像（映像２）を選択し、前記複数の字幕のうち１つの字幕を選択せず、前記複数の音楽のうち１つの音楽（音楽２）を選択し、前記複数の音声のうち１つの音声を選択しなかった場合、所定の施療コースの施療態様は「揉み→擦り→ローリング」となる。
このように、所定の施療コースの施療態様の変更については、選択する映像、字幕、音楽、音声のそれぞれの組み合わせにより適宜変更されるものであり、映像、字幕、音楽、音声のうち少なくとも２つを選択すればよく、上述の所定の施療コースの施療態様の変更パターンのみには限られない。
また、所定の施療コースの施療態様について、上述の所定の施療コースの施療態様の前後に他の施療動作があってもよい。
【００４８】
図１５は、前記記憶部９０に記憶された映像、音楽、音声、字幕の更新、追加、削除をした状態を示す図である。
図１５に示す通り、前記記憶部９０に記憶された前記複数の映像（映像１〜３）のうち１つの映像（映像１）は、前記通信部９４を介して（映像１Ａ）に更新できるようになっている。また、（映像１Ａ）への更新だけではなく、（映像４）の追加や（映像３）の削除をすることもできるようになっている。前記通信部９４は、前記マッサージ機１とは別体として外部に設けられた記憶装置（図示せず）と通信することで、新しい映像、新しい字幕、新しい音楽、新しい音声を、前記記憶部９０に記憶させることができる。
【００４９】
例えば、図１１、１５に示す通り、映像を更新する場合、前記通信部９４は、外部に設けられた記憶装置を介して、更新可能な映像を前記表示手段９５に表示させ、前記選択部９２によって更新したい映像（映像１）を選択する。選択すると、前記記憶部９０に記憶されている更新前の映像（映像１）は、前記通信部９４を介して、選択した映像に対応する更新後の映像（映像１Ａ）に更新され、前記記憶部９０に記憶される。
【００５０】
また、映像を追加する場合、前記通信部９４は、外部に設けられた記憶装置を介して、追加可能な映像を前記表示手段９５に表示させ、前記選択部９２によって追加したい映像（映像４）を選択する。選択すると、前記通信部９４を介して、追加したい映像（映像４）が新たに前記記憶部９０に記憶される。
なお、前記通信部９４を介さずに映像を追加することもできる。追加する場合、予め前記記憶部９０に記憶された映像の中から、前記表示手段９５に表示させていなかった映像（映像４）を表示させ、前記選択部９２によってその映像（映像４）を選択する。選択することで、選択した映像（映像４）を前記表示手段９５に表示することができるように前記記憶部９０の情報を更新して記憶される。
【００５１】
また、映像を削除する場合、削除可能な映像を前記表示手段９５に表示させ、前記選択部９２によって削除したい映像（映像３）を選択する。選択すると、削除したい映像（映像３）が前記記憶部９０の情報から削除して記憶される。
【００５２】
なお、更新、追加、削除できるものは、前記複数の映像のうち１つの映像には限られず、複数の映像を更新、追加、削除できるようにしてもよい。また、前記複数の字幕、前記複数の音楽、前記複数の音声を更新、追加、削除できるようにしてもよい。
また、映像、字幕、音楽、音声それぞれの更新、追加、削除をそれぞれすることができる。
【００５３】
また、前記選択部９２によって、前記記憶部９０に記憶されている前記複数の映像、前記複数の字幕、前記複数の音楽、前記複数の音声の中から少なくとも１つを選択することで、映像、字幕、音楽、音声のうち少なくとも１つが自動的に決定されるようになっており、使用者自身が、映像、字幕、音楽、音声の全てを選択する手間を省くことができる。
【００５４】
なお、前記複数の映像のうちの１つの映像、前記複数の字幕のうちの１つの字幕、前記複数の音楽のうちの１つの音楽、前記複数の音声のうちの１つの音声の中から少なくとも１つを選択することで、映像、字幕、音楽、音声のうち少なくとも１つを自動的に決定するようになっていれば良く、その組み合わせについては、上述のパターンのみには限られない。
【００５５】
図１６は、時間帯によって選択できる映像、音楽、音声、字幕が異なることを示す図である。
図１１に示す通り、前記マッサージ機１は、時計部９３を有しており、前記時計部９３から現在の時刻情報を取得することができるようになっている。
【００５６】
図１６に示す通り、前記マッサージ機１を使用する時間帯が朝方（例えば、６時〜１２時）の場合、使用者の活動状態を活性化させるマッサージを行うことを目的としているため、選択できる映像は、（映像１〜３）であり、選択できる字幕は、（字幕１、２）であり、選択できる音楽は、（音楽２、３）であり、選択できる音声は、（音声１、２）である。
これらの中から少なくとも２つを選択することで、使用する時間帯（６時〜１２時）に応じた映像、字幕、音楽、音声を再生することができる。
【００５７】
また、前記マッサージ機１を使用する時間帯が午後（例えば、１２時〜１８時）の場合、使用者の活動状態を活性化またはリラックスさせるマッサージを行うことを目的としているため、選択できる映像は、（映像１、２）であり、選択できる字幕は、（字幕１〜３）であり、選択できる音楽は、（音楽１〜３）であり、選択できる音声は、（音声２、３）である。
これらの中から少なくとも２つを選択することで、使用する時間帯（１２時〜１８時）に応じた映像、字幕、音楽、音声を再生することができる。
【００５８】
また、前記マッサージ機１を使用する時間帯が夕方（例えば、１８時〜２４時）の場合、使用者の活動状態を活性化またはリラックスさせるマッサージを行うことを目的としているため、選択できる映像は、（映像１、３）であり、選択できる字幕は、（字幕１〜３）であり、選択できる音楽は、（音楽１、２）であり、選択できる音声は、（音声１、３）である。
これらの中から少なくとも２つを選択することで、使用する時間帯（１８時〜２４時）に応じた映像、字幕、音楽、音声を再生することができる。
【００５９】
また、前記マッサージ機１を使用する時間帯が深夜（例えば、２４時〜６時）の場合、使用者の活動状態をリラックスさせるマッサージを行うことを目的としているため、選択できる映像は、（映像２、３）であり、選択できる字幕は、（字幕２、３）であり、選択できる音楽は、（音楽１、３）であり、選択できる音声は、（音声１〜３）である。
これらの中から少なくとも２つを選択することで、使用する時間帯（２４時〜６時）に応じた映像、字幕、音楽、音声を再生することができる。
【００６０】
なお、選択できる映像、字幕、音楽、音声と、選択できる映像、字幕、音楽、音声が設定される時間帯は、一例であり、時間帯は午前（２４〜１２時）と午後（１２〜２４時）の２つに分けてもよく、上述の映像、字幕、音楽、音声、時間帯には限られない。
【００６１】
また、前記時計部９３には、アラーム機能（図示せず）を設けてもよい。前記アラーム機能により、使用者が設定した所定の時刻になると、前記時計部９３に設けられたアラームが作動し、使用者に所定の時刻であることを報知する。
このように、アラーム機能を設けることで、マッサージ機の使用忘れを防止することができるため、マッサージ機を使用する習慣を身に付けさせることができる。  
【００６２】
なお、映像、字幕、音楽、音声については、少なくとも２つを選択することができるようになっていればよく、映像、字幕、音楽、音声を選択していく順番についても、いずれから選択してもよい。
【００６３】
［他の実施形態］
また、使用者の生体情報を取得する手段を別途設けても良く、使用者の生体情報を取得した結果によって、前記選択部９２で選択できる映像、字幕、音楽、音声が変更されるようになっていてもよい。
例えば、生体情報を取得する手段は脈拍計（図示せず）であり、前記脈拍計で取得した脈拍から、脈拍が高い使用者の場合は、興奮状態にあると判断し、リラックスさせるような映像と音楽を自動で選択または使用者が選択するように勧めるようにし、前記表示手段９５と前記出力手段９６とを通じて使用者に知覚させ、脈拍を下げ、使用者をリラックスさせることができる。また、脈拍が低い使用者の場合は、自律神経が乱れている状態や眠気のある状態にあると判断し、活性化させるような映像と音楽を自動で選択または使用者が選択するように勧めるようにし、前記表示手段９５と前記出力手段９６とを通じて使用者に知覚させ、脈拍を上げ、使用者を活性化させることができる。
【産業上の利用可能性】
【００６４】
本発明は、使用者自身が、その日の体調や気分に応じて、複数の映像、複数の字幕、複数の音楽、複数の音声のうち、少なくとも２つを選択でき、使用者が飽きずにマッサージを受ける習慣を身に付けることができるマッサージ機に適用できる。
【符号の説明】
【００６５】
９５  表示手段
９６  出力手段
９０  記憶部
９２  選択部
【図１】
2017209384.tif 000003
【図２】
2017209384.tif 000004
【図３】
2017209384.tif 000005
【図４】
2017209384.tif 000006
【図５】
2017209384.tif 000007
【図６】
2017209384.tif 000008
【図７】
2017209384.tif 000009
【図８】
2017209384.tif 000010
【図９】
2017209384.tif 000011
【図１０】
2017209384.tif 000012
【図１１】
2017209384.tif 000013
【図１２】
2017209384.tif 000014
【図１３】
2017209384.tif 000015
【図１４】
2017209384.tif 000016
【図１５】
2017209384.tif 000017
【図１６】
2017209384.tif 000018